(57)【特許請求の範囲】
【請求項１】
所定の周期でパルスを有する無線信号を受信する受信部と、
前記周期における一部の期間である第１の積分期間について前記受信部により受信された信号を積分する第１の積分回路と、
前記周期における前記第１の積分期間とは異なる一部の期間である第２の積分期間について前記受信部により受信された信号を積分する第２の積分回路と、
前記受信部による前記無線信号の受信が開始された初期状態において前記パルスが前記受信部により受信されるパルスタイミングを同期タイミングとして取得し、前記第１の積分期間を前記同期タイミングと同期させる初期同期部と、
前記初期同期部により同期が取られた後、前記第２の積分期間を前記第１の積分期間と連続させると共に、前記第２の積分回路により得られた積分値が前記第１の積分回路により得られた積分値よりも大きくなった場合には、前記第１及び第２の積分期間のタイミングを前記第２の積分期間の方向に変化させ、前記第２の積分回路により得られた積分値が増大することなく前記第１の積分回路により得られた積分値が減少した場合には、前記第１及び第２の積分期間のタイミングを前記第２の積分期間とは反対方向に変化させることにより、前記第１の積分期間のタイミングを前記パルスタイミングと同期させるように調整する同期維持部と、
前記第１の積分回路により得られた積分値に基づいて前記無線信号の復調を行う復調部と
を備えることを特徴とする無線受信装置。
【請求項２】
所定の周期でパルスを有する無線信号を受信する受信部と、
前記周期における一部の期間である第１の積分期間について前記受信部により受信された信号を積分する第１の積分回路と、
前記周期における前記第１の積分期間とは異なる一部の期間である第２の積分期間について前記受信部により受信された信号を積分する第２の積分回路と、
前記受信部による前記無線信号の受信が開始された初期状態において前記パルスが前記受信部により受信されるパルスタイミングを同期タイミングとして取得し、前記第１の積分期間を前記同期タイミングと同期させる初期同期部と、
前記初期同期部により同期が取られた後、前記第２の積分期間の一部を前記第１の積分期間の一部と重複させると共に、前記第１の積分回路により得られた積分値が前記第２の積分回路により得られた積分値よりも大きくなった場合には、前記第１及び第２の積分期間のタイミングを前記第１の積分期間の方向に変化させ、前記第２の積分回路により得られた積分値が前記第１の積分回路により得られた積分値よりも大きくなった場合には、前記第１及び第２の積分期間のタイミングを前記第２の積分期間の方向に変化させることにより、前記第１の積分期間のタイミングを前記パルスタイミングと同期させるように調整する同期維持部と、
前記第１の積分回路により得られた積分値に基づいて前記無線信号の復調を行う復調部と
を備えることを特徴とする無線受信装置。
【請求項３】
前記第１の積分回路により得られた積分値と前記第２の積分回路により得られた積分値とを加算する加算部をさらに備え、
前記復調部は、前記加算部による加算値に基づいて前記無線信号の復調を行うことを特徴とする請求項１又は２に記載の無線受信装置。
【請求項４】
前記受信部により受信された信号を濾波して前記第１及び第２の積分回路へ出力すると共に前記濾波する周波数帯域を切替可能な帯域フィルタと、
前記初期同期部により前記同期タイミングが取得されない時間を計時する計時部と、
前記計時部により計時された時間が予め設定された基準時間を超えた場合、前記帯域フィルタの周波数帯域を変化させる帯域切替部と
をさらに備え、
前記第１及び第２の積分回路は前記帯域フィルタから出力された信号を積分すること
を特徴とする請求項１〜３のいずれかに記載の無線受信装置。
【請求項５】
所定の周期でパルスを有する無線信号を受信する工程と、
前記周期における一部の期間である第１の積分期間について前記受信された信号を積分する工程と、
前記周期における前記第１の積分期間とは異なる一部の期間である第２の積分期間について前記受信された信号を積分する工程と、
前記無線信号の受信が開始された初期状態において前記パルスが受信されるパルスタイミングを同期タイミングとして取得し、前記第１の積分期間を前記同期タイミングと同期させる工程と、
前記同期が取られた後、前記第２の積分期間を前記第１の積分期間と連続させると共に、前記第２の積分期間について得られた積分値が前記第１の積分期間について得られた積分値よりも大きくなった場合には、前記第１及び第２の積分期間のタイミングを前記第２の積分期間の方向に変化させ、前記第２の積分期間について得られた積分値が増大することなく前記第１の積分回路により得られた積分値が減少した場合には、前記第１及び第２の積分期間のタイミングを前記第２の積分期間とは反対方向に変化させることにより、前記第１の積分期間のタイミングを前記パルスタイミングと同期させるように調整する工程と、
前記第１の積分期間について得られた積分値に基づいて前記無線信号の復調を行う工程と
を備えることを特徴とする無線受信方法。
【請求項６】
所定の周期でパルスを有する無線信号を受信する工程と、
前記周期における一部の期間である第１の積分期間について前記受信された信号を積分する工程と、
前記周期における前記第１の積分期間とは異なる一部の期間である第２の積分期間について前記受信された信号を積分する工程と、
前記無線信号の受信が開始された初期状態において前記パルスが受信されるパルスタイミングを同期タイミングとして取得し、前記第１の積分期間を前記同期タイミングと同期させる工程と、
前記同期が取られた後、前記第２の積分期間の一部を前記第１の積分期間の一部と重複させると共に、前記第１の積分期間について得られた積分値が前記第２の積分期間について得られた積分値よりも大きくなった場合には、前記第１及び第２の積分期間のタイミングを前記第１の積分期間の方向に変化させ、前記第２の積分期間について得られた積分値が前記第１の積分期間について得られた積分値よりも大きくなった場合には、前記第１及び第２の積分期間のタイミングを前記第２の積分期間の方向に変化させることにより、前記第１の積分期間のタイミングを前記パルスタイミングと同期させるように調整する工程と、
前記第１の積分期間について得られた積分値に基づいて前記無線信号の復調を行う工程と
を備えることを特徴とする無線受信方法。
【発明の詳細な説明】
【技術分野】
【０００１】
本発明は、ウルトラワイドバンド通信の無線信号を受信する無線受信装置、及び無線受信方法に関する。
【背景技術】
【０００２】
近年、高速無線伝送方式の一つとして、所定の周期タイミングに同期したパルス信号からなるパルス信号列を用いて超広帯域な通信を行うウルトラワイドバンド（ＵＷＢ：Ultra Wide Band）通信方式が注目されている。ＵＷＢ通信の一態様として、搬送波を用いず、例えばパルス幅が１ｎｓｅｃ以下等の極めて細かいパルス信号からなるパルス信号列を用いて通信を行うものが知られている（例えば、特許文献１参照。）。
【０００３】
図５は、背景技術に係るＵＷＢ通信の無線受信装置１００を示すブロック図である。図５に示す無線受信装置１００は、ＵＷＢ通信による無線送信装置から送られてきたＵＷＢ通信信号を受信するアンテナ１０１と、アンテナ１０１で受信されたＵＷＢ通信信号を増幅するアンプ１０２と、制御部１０５から出力された時系列上の所定のタイミングを示すテンプレート信号Ｓｘに基づいてアンプ１０２で増幅された信号Ｓｙを積分することにより、テンプレート信号Ｓｘと信号Ｓｙとの相関を示す積分電圧Ｓｚを生成する積分回路１０３と、その積分電圧Ｓｚをデジタル値に変換するＡＤ変換器１０４と、ＡＤ変換器１０４で得られた相関値に基づきテンプレート信号ＳｘをＵＷＢ通信信号と同期させて積分回路１０３へ出力すると共に、ＡＤ変換器１０４で得られた相関値からデータを復調する制御部１０５とを備えている。
【０００４】
このように構成された無線受信装置１００は、所定の周期タイミングに同期して時間軸上に配置されたＵＷＢ通信のパルス信号を受信するために、送信されたパルス信号と無線受信装置１００側の受信タイミング、すなわちテンプレート信号Ｓｘのタイミングとを同期させるパルス同期を行う必要がある。
【０００５】
図６は、背景技術に係るパルス同期処理を説明するための説明図である。まず、ＵＷＢ通信の通信フレームは、図６に示すように、パルス同期を取るためのパルスＰ１を一定周期、例えば２００ｎｓｅｃ間隔で備えている。また、テンプレート信号Ｓｘは、積分回路１０３に積分動作をさせる期間であるウィンドウ期間を示す矩形波パルスを備えて構成されている。
【０００６】
そして、無線受信装置１００は、所定の期間、例えば１０ｎｓｅｃのウィンドウ期間においてのみ、ＵＷＢ通信の通信フレームを受信し、ウィンドウ期間内にパルスＰ１を受信するまでウィンドウ期間のタイミングを少しずつ、例えば１０ｎｓｅｃずつずらしながらパルスＰ１のタイミングを探索する。そして、ウィンドウ期間内にパルスＰ１を受信すると、そのウィンドウ期間のタイミングを同期タイミングとして取得する。
【０００７】
さらに、このようにして取得した同期タイミングにテンプレート信号Ｓｘにおけるウィンドウ期間を示す矩形波パルスの周期タイミングを同期させ、以後、制御部１０５によって生成される周期タイミングにウィンドウ期間を同期させて受信動作を行うことにより、パルス同期を取って送信装置側で生成された周期タイミングに同期して時間軸上に配置されたパルス信号を受信するようになっている。
【特許文献１】特表平１０−５０８７２５号公報
【発明の開示】
【発明が解決しようとする課題】
【０００８】
ところで、上述のような無線受信装置１００では、送信装置側でパルス信号の周期タイミングを生成するタイミング発生回路の精度ばらつきや、無線受信装置１００側で受信周期タイミングを生成する制御部１０５の精度ばらつき等により、送信装置側と無線受信装置１００側とで周期タイミングにずれが生じ、一度パルス同期を取っても時間の経過と共に周期タイミングのずれが増大し、同期が取れなくなってしまうという不都合があった。
【０００９】
本発明は、このような問題に鑑みて為された発明であり、パルス同期が取れた後、パルス同期の維持の確実性を向上することができる無線受信装置、及び無線受信方法を提供することを目的とする。
【課題を解決するための手段】
【００１０】
上述の目的を達成するために、本発明の第１の手段に係る無線受信装置は、所定の周期でパルスを有する無線信号を受信する受信部と、前記周期における一部の期間である第１の積分期間について前記受信部により受信された信号を積分する第１の積分回路と、前記周期における前記第１の積分期間とは異なる一部の期間である第２の積分期間について前記受信部により受信された信号を積分する第２の積分回路と、前記受信部による前記無線信号の受信が開始された初期状態において前記パルスが前記受信部により受信されるパルスタイミングを同期タイミングとして取得し、前記第１の積分期間を前記同期タイミングと同期させる初期同期部と、前記初期同期部により同期が取られた後、前記第２の積分期間を前記第１の積分期間と連続又は重複させると共に前記第１の積分回路により得られた第１の積分値と前記第２の積分回路により得られた第２の積分値とに基づいて、前記第１の積分期間のタイミングを前記パルスタイミングと同期させるように調整する同期維持部と、前記第１の積分回路により得られた第１の積分値に基づいて前記無線信号の復調を行う復調部とを備えることを特徴としている。
【００１１】
また、上述の無線受信装置によれば、前記同期維持部は、前記第２の積分期間を前記第１の積分期間と連続させ、前記第２の積分回路により得られた積分値が前記第１の積分回路により得られた積分値よりも大きくなった場合には、前記第１及び第２の積分期間のタイミングを前記第２の積分期間の方向に変化させ、前記第２の積分回路により得られた積分値が増大することなく前記第１の積分回路により得られた積分値が減少した場合には、前記第１及び第２の積分期間のタイミングを前記第２の積分期間とは反対方向に変化させることを特徴としている。
【００１２】
また、上述の無線受信装置によれば、前記同期維持部は、前記第２の積分期間の一部を前記第１の積分期間の一部と重複させ、前記第１の積分回路により得られた積分値が前記第２の積分回路により得られた積分値よりも大きくなった場合には、前記第１及び第２の積分期間のタイミングを前記第１の積分期間の方向に変化させ、前記第２の積分回路により得られた積分値が前記第１の積分回路により得られた積分値よりも大きくなった場合には、前記第１及び第２の積分期間のタイミングを前記第２の積分期間の方向に変化させることを特徴としている。
【００１３】
また、上述の無線受信装置によれば、前記初期同期部は、前記第１の積分期間と前記第２の積分期間とを重複しないタイミングに設定し、前記第１及び第２の積分期間のタイミングを変化させつつ前記第１及び第２の積分回路のうちいずれかにより得られる積分値が増大するタイミングを探索し、前記積分値が増大するタイミングを前記同期タイミングとして取得することを特徴としている。
【００１４】
また、上述の無線受信装置によれば、前記第１の積分回路により得られた積分値と前記第２の積分回路により得られた積分値とを加算する加算部をさらに備え、前記復調部は、前記加算部による加算値に基づいて前記無線信号の復調を行うことを特徴としている。
【００１５】
また、上述の無線受信装置によれば、前記受信部により受信された信号を濾波して前記第１及び第２の積分回路へ出力すると共に前記濾波する周波数帯域を切替可能な帯域フィルタと、前記初期同期部により前記同期タイミングが取得されない時間を計時する計時部と、前記計時部により計時された時間が予め設定された基準時間を超えた場合、前記帯域フィルタの周波数帯域を変化させる帯域切替部とをさらに備え、前記第１及び第２の積分回路は前記帯域フィルタから出力された信号を積分することを特徴としている。
【００１６】
そして、本発明の第２の手段に係る無線受信方法は、所定の周期でパルスを有する無線信号を受信する工程と、前記周期における一部の期間である第１の積分期間について前記受信された信号を積分する工程と、前記周期における前記第１の積分期間とは異なる一部の期間である第２の積分期間について前記受信された信号を積分する工程と、前記無線信号の受信が開始された初期状態において前記パルスが受信されるパルスタイミングを同期タイミングとして取得し、前記第１の積分期間を前記同期タイミングと同期させる工程と、前記同期が取られた後、前記第２の積分期間を前記第１の積分期間と連続又は重複させると共に前記第１の積分期間について得られた第１の積分値と前記第２の積分期間について得られた第２の積分値とに基づいて、前記第１の積分期間のタイミングを前記パルスタイミングと同期させるように調整する工程と、前記第１の積分期間について得られた第１の積分値に基づいて前記無線信号の復調を行う工程とを備えることを特徴としている。
【発明の効果】
【００１７】
このような構成の無線受信装置及び無線受信方法は、所定の周期でパルスを有する無線信号が受信され、その周期における一部の期間である第１の積分期間について受信された信号が積分され、その周期における第１の積分期間とは異なる一部の期間である第２の積分期間について受信された信号が積分される。また、無線信号の受信が開始された初期状態においてパルスが受信されるパルスタイミングが同期タイミングとして取得され、第１の積分期間がその同期タイミングと同期される。そして、同期が取られた後、第２の積分期間が第１の積分期間と連続又は重複されると共に第１の積分期間について得られた第１の積分値と第２の積分期間について得られた第２の積分値とに基づいて、第１の積分期間のタイミングがパルスタイミングと同期されるように調整されるので、パルス同期が取れた後、パルス同期の維持の確実性を向上することができる。
【発明を実施するための最良の形態】
【００１８】
以下、本発明に係る実施形態を図面に基づいて説明する。なお、各図において同一の符号を付した構成は、同一の構成であることを示し、その説明を省略する。
【００１９】
（第１実施形態）
図１は、本発明の第１の実施形態に係る無線受信方法を用いた無線受信装置の構成の一例を示すブロック図である。図１に示す無線受信装置１は、アンテナ２（受信部）、アンプ３、フィルタ４（帯域フィルタ）、検波器５、積分ブロック６−１〜６−ｎ、加算器７（加算部）、信号処理部８、ゲート信号生成部９、及び位相制御部１０を備える。
【００２０】
アンテナ２は、ウルトラワイドバンドの無線信号を受信する受信用アンテナである。アンプ３は、アンテナ２で受信された信号を増幅する増幅回路である。フィルタ４は、アンプ３の出力信号を濾波する帯域フィルタで、信号処理部８からの制御信号に応じて通過帯域を３．１ＧＨｚと３．５ＧＨｚとで切り替え可能にされている。検波器５は、フィルタ４の出力信号を検波し、検波信号Ｋ１として積分ブロック６−１〜６−ｎへ出力する検波器である。アンテナ２、アンプ３、フィルタ４、及び検波器５によって、アンテナ２で受信された３．２ＧＨｚの帯域の信号が包絡線検波されて約５００ＭＨｚ程度に周波数変換され、パルス復調されるようになっている。
【００２１】
積分ブロック６−１〜６−ｎは、検波器５から出力された検波信号Ｋ１を積分し、積分信号Ｓ１〜Ｓｎとして出力する積分回路６１−１〜６１−ｎと、積分回路６１−１〜６１−ｎから出力された積分信号Ｓ１〜Ｓｎをデジタル値に変換し、信号ＡＤ１〜ＡＤｎとして出力するＡＤ変換器６２−１〜６２−ｎとを備えている。ＡＤ変換器６２−１〜６２−ｎは、例えば８ｂｉｔ、２５５段のＡＤ変換器である。以下、総称する場合には添え字を省略した参照符号で示し、個別の構成を指す場合には添え字を付した参照符号で示す。
【００２２】
加算器７は、ＡＤ変換器６２−１〜６２−ｎの出力信号ＡＤ１〜ＡＤｎ、すなわち積分回路６１−１〜６１−ｎの積分値を加算して信号処理部８へ出力する加算回路である。ゲート信号生成部９は、例えば発振回路を備えて構成されており、ウルトラワイドバンド通信における無線信号パルスの周期と同一の周期で積分回路６１−１〜６１−ｎに積分動作をさせるべく、周期ｔ１毎に積分期間、すなわちウィンドウ期間を示す基準ゲート信号Ｇを出力する回路部である。
【００２３】
位相制御部１０は、ゲート信号生成部９から出力された基準ゲート信号Ｇと信号処理部８からの制御信号とに基づいて、基準ゲート信号Ｇの位相を積分回路６１−１〜６１−ｎにそれぞれ積分動作をさせるタイミングを示すべく変化させ、ゲート信号Ｇ１，Ｇ２〜Ｇｎとして、積分回路６１−１，６１−２〜６１−ｎへそれぞれ出力する。
【００２４】
信号処理部８は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、タイマ回路と、その周辺回路等とを備えて構成され、ＲＯＭに記憶された制御プログラムを実行することにより、ＡＤ変換器６２−１〜６２−ｎの出力信号ＡＤ１〜ＡＤｎに基づいて、受信パルスとの同期タイミングを取得し、同期をとる初期同期部８１、受信パルスとの同期を維持する同期維持部８２、加算器７の出力信号に基づいて受信信号からデータを復調し、データＤｏｕｔとして外部へ出力する復調部８３、例えばタイマ回路を用いて初期同期部８１により同期タイミングが取得されない時間の経過を計時する計時部８４、及び計時部８４により計時された時間が予め設定された基準時間を超えた場合、フィルタ４の周波数帯域を変化させる帯域切替部８５として機能する。
【００２５】
次に、上述のように構成された無線受信装置１の動作について説明する。アンテナ２によるウルトラワイドバンド通信における無線信号の受信が開始された初期状態においては、アンテナ２で受信されたウルトラワイドバンド通信における無線信号パルスのタイミングと無線受信装置１における受信タイミングとが同期していないので、ます、初期同期部８１によって、無線信号パルスがアンテナ２により受信されるパルスタイミングを同期タイミングとして取得する初期同期処理が行われる。
【００２６】
まず、２個の積分ブロック６−１，６−２を用いた初期同期処理について説明する。図２（ａ）は、初期同期部８１による初期同期処理を説明するための信号波形図である。図２（ａ）において、検波器５から出力された検波信号Ｋ１には、ウルトラワイドバンド通信の送信装置におけるパルス送信周期である周期ｔ２毎にパルスＰが含まれている。また、ゲート信号Ｇ１はハイレベルで積分回路６１−１（第１の積分回路）に積分動作を行わせ、ゲート信号Ｇ２はハイレベルで積分回路６１−２（第２の積分回路）に積分動作を行わせる信号である。
【００２７】
そして、図２（ａ）に示すように、初期状態においては、検波信号Ｋ１におけるパルスＰのタイミングと、ゲート信号Ｇ１がハイレベルのタイミングである積分期間ｔｓ１（第１の積分期間）及びゲート信号Ｇ２がハイレベルのタイミングである積分期間ｔｓ２（第２の積分期間）とは一致しておらず、パルス同期がとれていない。そこで、例えば図２（ａ）に示すように、初期同期部８１からの制御信号に応じて、位相制御部１０によって、ゲート信号Ｇ１における積分期間ｔｓ１のタイミングは遅れ方向に徐々に変化されてＡＤ変換器６２−１の出力信号ＡＤ１が増大するタイミングが探索され、ゲート信号Ｇ２における積分期間ｔｓ２のタイミングは積分期間ｔｓ１とは逆に進み方向に徐々に変化されてＡＤ変換器６２−２の出力信号ＡＤ２が増大するタイミングが探索される。
【００２８】
さらに、出力信号ＡＤ１が増大した場合、初期同期部８１によって、その出力信号ＡＤ１が得られた積分期間ｔｓ１のタイミングが同期タイミングとして取得され、出力信号ＡＤ２が増大した場合、その出力信号ＡＤ２が得られた積分期間ｔｓ２のタイミングが同期タイミングとして取得される。
【００２９】
この場合、初期同期部８１によって、積分期間ｔｓ１と積分期間ｔｓ２とが重複しないタイミングに設定され、積分期間ｔｓ１及び積分期間ｔｓ２のタイミングを変化させつつ出力信号ＡＤ１及び出力信号ＡＤ２のうちいずれかにより得られる積分値が増大するタイミングが探索され、その積分値が増大するタイミングが同期タイミングとして取得されるので、二つの積分期間を用いてパルス同期タイミングを探索することができ、図６に示す背景技術に係るパルス同期処理の場合のように一のウィンドウ期間をずらしながらパルス同期タイミングを探索する場合と比べて、初期同期処理の処理時間を約１／２にすることができる。
【００３０】
なお、初期同期処理において、積分ブロック６−１，６−２を用いて積分期間ｔｓ１と積分期間ｔｓ２とのタイミングを変化させることにより、同期タイミングを探索する例を示したが、ｎ個の積分ブロック６−１〜６−ｎを用いて、ｎ個の積分期間のタイミングを変化させることにより、同期タイミングを探索するようにしてもよい。この場合、図６に示す背景技術に係るパルス同期処理の場合のように一のウィンドウ期間をずらしながらパルス同期タイミングを探索する場合と比べて、初期同期処理の処理時間を約１／ｎにすることができる。
【００３１】
そして、図２（ｂ）に示すように、初期同期部８１からの制御信号に応じて、位相制御部１０によって、ゲート信号Ｇ１における積分期間ｔｓ１のタイミングが同期タイミングとして取得されたタイミング、すなわちパルスＰのタイミングと同期される。これにより、パルスＰは、積分回路６１−１によって積分され、積分信号Ｓ１が増大する。図２（ｂ）に示すゲート信号Ｇ２と積分信号Ｓ２との動作については後述する。
【００３２】
次に、同期維持部８２の動作について説明する。図３は、同期維持部８２の動作を説明するためのタイミングチャートである。まず、初期同期部８１によって、同期タイミングが取得され、図３（ａ）に示すように、パルスＰのタイミングとゲート信号Ｇ１における積分期間ｔｓ１のタイミングとが同期され、さらに同期維持部８２からの制御信号に応じて、位相制御部１０によって、積分期間ｔｓ２が積分期間ｔｓ１と連続するように設定される。
【００３３】
ここで、無線送信装置におけるパルス周期ｔ２と、ゲート信号生成部９により生成される基準ゲート信号Ｇの周期ｔ１とは、原則同一となるように設定されているが、無線送信装置における発振回路等のパルス周期ｔ２の生成回路と、ゲート信号生成部９における発振回路等のパルス周期ｔ１の生成回路との精度ばらつき等により、パルス周期ｔ１とパルス周期ｔ２との間に差異が生じる場合がある。そうすると、例えばパルス周期ｔ２がパルス周期ｔ１より長い場合には、ゲート信号Ｇ１における積分期間ｔｓ１のタイミングに対してパルスＰのタイミングが遅れることとなる一方、例えばパルス周期ｔ２がパルス周期ｔ１より短い場合には、ゲート信号Ｇ１における積分期間ｔｓ１のタイミングに対してパルスＰのタイミングが進むこととなり、いずれにしても時間の経過と共に周期タイミングのずれが増大し、そのままでは同期が取れなくなってしまう。
【００３４】
そこで、無線受信装置１では、同期維持部８２によって、ＡＤ変換器６２−１により得られた積分値を示す信号ＡＤ１と、ＡＤ変換器６２−２により得られた積分値を示す信号ＡＤ２とに基づいて、ゲート信号Ｇ１における積分期間ｔｓ１のタイミングがパルスＰのタイミングと同期するように調整され、同期が維持される。
【００３５】
具体的には、例えば、パルス周期ｔ２がパルス周期ｔ１より長い場合には、図３（ａ）において、矢印Ａで示すように、ゲート信号Ｇ１における積分期間ｔｓ１のタイミングに対してパルスＰのタイミングが遅れる。そうすると、図３（ｂ）に示すように、ＡＤ変換器６２−１の積分信号Ｓ１のレベルが低下し、信号ＡＤ１で示される積分値が減少する一方、ＡＤ変換器６２−２の積分信号Ｓ２のレベルが増大し、信号ＡＤ２で示される積分値が増大する。
【００３６】
そして、同期維持部８２によって、信号ＡＤ１で示される積分値と信号ＡＤ２で示される積分値とが比較され、信号ＡＤ２で示される積分値の方が大きくなった場合には、パルスＰのタイミングが遅れたと判断される。そうすると、図３（ｃ）に示すように、同期維持部８２からの制御信号に応じて、位相制御部１０によって、ゲート信号Ｇ１における積分期間ｔｓ１のタイミングが積分期間ｔｓ２の方向、すなわち遅れ方向に変化される。
【００３７】
これにより、再びゲート信号Ｇ１における積分期間ｔｓ１のタイミングがパルスＰのタイミングと同期され、パルス同期が維持される。
【００３８】
一方、例えば、パルス周期ｔ２がパルス周期ｔ１より短い場合には、ゲート信号Ｇ１における積分期間ｔｓ１のタイミングに対してパルスＰのタイミングが進む。そうすると、ＡＤ変換器６２−２の積分信号Ｓ２のレベルは変化することなく、したがって信号ＡＤ２で示される積分値は増大することなくＡＤ変換器６２−１の積分信号Ｓ１のレベルが低下し、信号ＡＤ１で示される積分値が減少する。
【００３９】
そして、同期維持部８２によって、信号ＡＤ２で示される積分値が増大することなく信号ＡＤ１で示される積分値が減少し、例えば予め設定された閾値を下回ったことが検出されると、パルスＰのタイミングが進んだと判断され、同期維持部８２からの制御信号に応じて、位相制御部１０によって、ゲート信号Ｇ１における積分期間ｔｓ１のタイミングが積分期間ｔｓ２とは反対方向、すなわち進み方向に変化される。
【００４０】
これにより、再びゲート信号Ｇ１における積分期間ｔｓ１のタイミングがパルスＰのタイミングと同期され、パルス同期が維持される。
【００４１】
なお、このようなパルスＰのタイミングの遅れ、進みは、ゲート信号生成部９により生成される基準ゲート信号Ｇの周期ｔ１と無線送信装置におけるパルス周期ｔ２とのずれに起因して発生するので、パルス周期ｔ２がパルス周期ｔ１より長い場合には、パルスＰのタイミングは継続的に遅れ方向となり、パルス周期ｔ２がパルス周期ｔ１より短い場合には、パルスＰのタイミングは継続的に進み方向となる。
【００４２】
そこで、同期維持部８２は、パルスＰのタイミングが遅れたと判断した場合には、上述のようにゲート信号Ｇ１における積分期間ｔｓ１のタイミングをパルスＰのタイミングと同期させる一方、パルスＰのタイミングが進んだと判断した場合には、以後、ゲート信号Ｇ２における積分期間ｔｓ２のタイミングをパルスＰのタイミングと同期させるようにしてもよい。この場合、積分期間ｔｓ２が第１の積分期間、積分回路６１−２が第１の積分回路、積分期間ｔｓ１が第２の積分期間、積分回路６１−１が第２の積分回路となる。
【００４３】
そして、同期維持部８２によって、信号ＡＤ１で示される積分値と信号ＡＤ２で示される積分値とが比較され、信号ＡＤ１で示される積分値の方が大きくなった場合には、パルスＰのタイミングが進んでいるから、同期維持部８２からの制御信号に応じて位相制御部１０によって、ゲート信号Ｇ２における積分期間ｔｓ２のタイミングが積分期間ｔｓ１の方向、すなわち進み方向に変化されるようにしてもよい。
【００４４】
これにより、パルスＰのタイミングのずれが第２の積分期間（積分期間ｔｓ２）とは反対方向であった場合に、パルスＰのタイミングのずれ方向に新たな第２の積分期間（積分期間ｔｓ１）が配置されるので、パルスＰのタイミングがずれたことを、新たな第２の積分回路（積分回路６１−１）の積分値の増大によって検出することができ、パルスＰのタイミングずれの検出が容易となる。
【００４５】
そして、上述のようにしてパルス同期が維持され、ＡＤ変換器６２−１〜６２−ｎから出力された信号ＡＤ１〜ＡＤｎで示される積分値が加算器７によって加算され、積分加算値ＡＤ０として信号処理部８へ出力される。そして、復調部８３によって、加算器から出力された積分加算値ＡＤ０に基づいて、データＤｏｕｔが復調される。この場合、積分加算値ＡＤ０は、積分ブロック６一つから得られる積分値のｎ倍となる。例えば受信信号の信号レベルが１００ｍＶで有った場合、受信信号レベルが１００ｍＶ×ｎになったのと同等の積分値が積分加算値ＡＤ０として得られるので、積分ブロック６の数に応じて無線信号レベルが増幅され、無線受信装置１における無線信号の受信感度が向上される。
【００４６】
次に、計時部８４と帯域切替部８５の動作について説明する。まず、初期同期部８１により同期タイミングが取得されない時間、すなわち無線受信装置１が起動されてから初期同期部８１により同期タイミングが取得されるまでの時間、及び同期維持部８２によって同期が維持できなくなり、同期が取れなくなってから再び初期同期部８１により同期タイミングが取得されるまでの時間が計時部８４によって計時される。そして、計時部８４により計時された時間が予め設定された基準時間を超えた場合には、ある特定の周波数範囲で背景雑音のパワーが大きいと考えられるので、帯域切替部８５によって、フィルタ４の周波数帯域が切り替えられる。
【００４７】
例えば、フィルタ４が３．１ＧＨｚの通過帯域に設定されている状態で同期が取れなくなり、計時部８４により計時された時間が予め設定された基準時間を超えた場合には、帯域切替部８５によってフィルタ４の周波数帯域が３．５ＧＨｚに切り替えられる一方、フィルタ４が３．５ＧＨｚの通過帯域に設定されている状態で同期が取れなくなり、計時部８４により計時された時間が予め設定された基準時間を超えた場合には、帯域切替部８５によってフィルタ４の周波数帯域が３．１ＧＨｚに切り替えられる。
【００４８】
なお、同期が取れない時間が予め設定された基準時間を超えた場合にフィルタ４の周波数帯域を切り替える例の他、何らかの通信異常を検出して通信異常の発生頻度が予め設定された基準を超えた場合にフィルタ４の周波数帯域を切り替えるようにしてもよい。
【００４９】
これにより、背景雑音のパワーが大きいために通信が困難な場合、フィルタ４の周波数帯域を変化させて背景雑音の周波数を避けることにより、無線通信の安定性を向上させることができる。
【００５０】
（第２実施形態）
次に、本発明の第２の実施形態に係る無線受信方法を用いた無線受信装置について説明する。本発明の第２の実施形態に係る無線受信装置１ａの構成の一例は、無線受信装置１と同様図１によって示される。無線受信装置１ａは、無線受信装置１とは、同期維持部８２の代わりに同期維持部８２ａを備える点で異なる。
【００５１】
その他の構成は無線受信装置１と同様であるのでその説明を省略し、以下本実施形態における特徴的な動作について説明する。図４は、同期維持部８２ａの動作を説明するためのタイミングチャートである。まず、初期同期部８１によって、上述の図２に示す動作により同期タイミングが取得され、図４（ａ）に示すように、パルスＰのタイミングとゲート信号Ｇ１における積分期間ｔｓ１のタイミングとが同期され、さらに同期維持部８２ａからの制御信号に応じて、位相制御部１０によって、積分期間ｔｓ２の一部が積分期間ｔｓ１の一部と重複される。
【００５２】
ここで、上述のように、無線送信装置における発振回路等のパルス周期ｔ２の生成回路と、ゲート信号生成部９における発振回路等のパルス周期ｔ１の生成回路との精度ばらつき等により、例えばパルス周期ｔ２がパルス周期ｔ１より長い場合には、ゲート信号Ｇ１における積分期間ｔｓ１のタイミングに対してパルスＰのタイミングが遅れることとなる一方、例えばパルス周期ｔ２がパルス周期ｔ１より短い場合には、ゲート信号Ｇ１における積分期間ｔｓ１のタイミングに対してパルスＰのタイミングが進むこととなり、いずれにしても時間の経過と共に周期タイミングのずれが増大し、そのままでは同期が取れなくなってしまう。
【００５３】
そこで、無線受信装置１ａでは、同期維持部８２ａによって、ＡＤ変換器６２−１により得られた積分値を示す信号ＡＤ１と、ＡＤ変換器６２−２により得られた積分値を示す信号ＡＤ２とに基づいて、ゲート信号Ｇ１における積分期間ｔｓ１のタイミングがパルスＰのタイミングと同期するように調整され、同期が維持される。
【００５４】
具体的には、例えば、パルス周期ｔ２がパルス周期ｔ１より長い場合には、図４（ａ）において、矢印Ｂで示すように、ゲート信号Ｇ１における積分期間ｔｓ１のタイミングに対してパルスＰのタイミングが遅れる。そうすると、図４（ｂ）に示すように、ＡＤ変換器６２−１の積分信号Ｓ１のレベルが低下し、信号ＡＤ１で示される積分値が減少する一方、ＡＤ変換器６２−２の積分信号Ｓ２のレベルが増大し、信号ＡＤ２で示される積分値が増大する。
【００５５】
そして、同期維持部８２ａによって、信号ＡＤ１で示される積分値と信号ＡＤ２で示される積分値とが比較され、信号ＡＤ２で示される積分値の方が大きくなった場合には、パルスＰのタイミングが遅れたと判断される。そうすると、図４（ｃ）に示すように、同期維持部８２ａからの制御信号に応じて、位相制御部１０によって、ゲート信号Ｇ１における積分期間ｔｓ１のタイミングとゲート信号Ｇ２における積分期間ｔｓ２のタイミングとが積分期間ｔｓ２の方向、すなわち遅れ方向に変化される。
【００５６】
その結果、信号ＡＤ１で示される積分値と信号ＡＤ２で示される積分値とが略同一になるように積分期間ｔｓ１と積分期間ｔｓ２とのタイミングが調整され、パルスＰのタイミングが積分期間ｔｓ１と積分期間ｔｓ２との重複部分の中心になるようにされるので、ゲート信号Ｇ１における積分期間ｔｓ１のタイミングがパルスＰのタイミングと同期され、パルス同期が維持される。
【００５７】
一方、例えば、パルス周期ｔ２がパルス周期ｔ１より短い場合には、ゲート信号Ｇ１における積分期間ｔｓ１のタイミングに対してパルスＰのタイミングが進む。そうすると、ＡＤ変換器６２−１の積分信号Ｓ１のレベルが増大し、信号ＡＤ１で示される積分値が増大する一方、ＡＤ変換器６２−２の積分信号Ｓ２のレベルが減少し、信号ＡＤ２で示される積分値が減少する。
【００５８】
そして、同期維持部８２ａによって、信号ＡＤ１で示される積分値と信号ＡＤ２で示される積分値とが比較され、信号ＡＤ１で示される積分値の方が大きくなった場合には、パルスＰのタイミングが進んだと判断される。さらに、同期維持部８２ａからの制御信号に応じて、位相制御部１０によって、ゲート信号Ｇ１における積分期間ｔｓ１とゲート信号Ｇ２における積分期間ｔｓ２のタイミングとが積分期間ｔｓ１の方向、すなわち進み方向に変化される。
【００５９】
その結果、信号ＡＤ１で示される積分値と信号ＡＤ２で示される積分値とが略同一になるように積分期間ｔｓ１と積分期間ｔｓ２とのタイミングが調整される結果、パルスＰのタイミングが積分期間ｔｓ１と積分期間ｔｓ２との重複部分の中心になるようにされるので、ゲート信号Ｇ１における積分期間ｔｓ１のタイミングがパルスＰのタイミングと同期され、パルス同期が維持される。
【００６０】
これにより、パルスＰのタイミングがずれた場合には、同期維持部８２ａによって信号ＡＤ１で示される積分値と信号ＡＤ２で示される積分値との比較結果に基づいて、積分期間ｔｓ１と積分期間ｔｓ２とのタイミングが調整され、パルス同期を維持することができる。
【図面の簡単な説明】
【００６１】
【図１】本発明の第１の実施形態に係る無線受信方法を用いた無線受信装置の構成の一例を示すブロック図である。
【図２】図１に示す初期同期部による初期同期処理を説明するための信号波形図である。
【図３】図１に示す同期維持部の動作を説明するためのタイミングチャートである。
【図４】本発明の第２の実施形態に係る無線受信方法を用いた無線受信装置における同期維持部の動作を説明するためのタイミングチャートである。
【図５】背景技術に係るＵＷＢ通信の無線受信装置を示すブロック図である。
【図６】背景技術に係るパルス同期処理を説明するための説明図である。
【符号の説明】
【００６２】
１，１ａ  無線受信装置
２  アンテナ
３  アンプ
４  フィルタ
５  検波器
６  積分ブロック
７  加算器
８  信号処理部
９  ゲート信号生成部
１０  位相制御部
６１  積分回路
６２  ＡＤ変換器
８１  初期同期部
８２，８２ａ  同期維持部
８３  復調部
８４  計時部
８５  帯域切替部
【図１】
0004701924.tif 000002
【図２】
0004701924.tif 000003
【図３】
0004701924.tif 000004
【図４】
0004701924.tif 000005
【図５】
0004701924.tif 000006
【図６】
0004701924.tif 000007